【手続補正書】
【提出日】平成15年12月12日(2003.12.12)
【手続補正１】
【補正対象書類名】明細書
【補正対象項目名】特許請求の範囲
【補正方法】変更
【補正の内容】
【特許請求の範囲】
【請求項１】
入場が制御される施設・場所(3)に入場するための複数の入場券を注文、ロードおよび使用する方法であって、複数の入場券は、モバイル通信端末機器(1)のメモリモジュール(21)に記憶され、データは、それぞれの入場が制御される施設・場所(3)の読取装置(31)と該メモリモジュール(21)との間で無接点のインターフェイス(13)を介して交換され、該モバイル通信端末機器(1)のユーザの入場正当性に関する判定は、該入場券に含まれる入場券情報を考慮して行われ、該ユーザの該入場が制御される施設・場所(3)への入場は、該ユーザの入場正当性に関する判定に従って、該読取装置(31)に接続された入場装置(32)によって許可又は拒否され、該方法は、
使用可能であるさまざまな注文チャネルのうちの1つの注文チャネルを介して予約センター(4)に注文データを送信して、該予約センター(4)に少なくとも1つの入場券を注文するステップを含み、該注文データは、該モバイル通信端末機器(1)のコール番号を含み、該方法は、さらに、
モバイル網(6)を介して、該注文データに含まれる該コール番号が割り当てられている通信端末機器(1)に注文された該入場券を送信するステップを含む方法。
【請求項２】
請求項1に記載の方法において、該入場券は、それぞれ、入場券番号を含み、該入場券番号は、ディジタル署名で与えられ、該メモリモジュール(21)に記憶された入場券は、該読取装置(31)に送信され、入場データは、該予約センター(4)から該読取装置(31)に送信され、及び入場正当性の判定は、こうした入場データを考察し、署名を検証してなされる方法。
【請求項３】
請求項1に記載の方法において、入場券には、少なくとも１つの入場制御される施設・場所(3)についての入場券情報が含まれ、入場正当性の判定は、該入場券情報を考慮してなされ、および肯定的な判定がなされるとメモリモジュール(21)に記憶されていた入場券は消印され失効する方法。
【請求項４】
入場券情報は読取装置(31)に送信されること、および読取装置(31)において判定がなされることを特徴とする請求項３に記載の方法。
【請求項５】
請求項3に記載の方法において、該読取装置(31)は、機器識別子を該通信端末機器(1)に送信し、該入場正当性の判定は、通信端末機器(1)において、該機器識別子を考慮してなされ、及び該判定の結果は、読取装置(31)に送信される方法。
【請求項６】
請求項1乃至5の何れか1項に記載の方法において、少なくとも数枚の入場券が１人の特定のユーザに割り当てられ、及び入場正当性に関する判定する際に、該数枚の入場券についてそれぞれ、該メモリモジュール(21)に記憶されたユーザ識別子によって識別されるユーザに該数枚の入場券が割り当てられているか否かが検証される方法。
【請求項７】
請求項1乃至6の何れか1項に記載の方法において、該読取装置(31)は、ディジタル署名された機器識別子を該通信端末機器(1)に送信し、該読取装置(31)は、該機器識別子に基づいて該通信端末機器(1)において認証され、その後、該メモリモジュール(21)に記憶されたデータを該読取装置(31)に送信する方法。
【請求項８】
請求項7に記載の方法において、該読取装置(31)が認証されてから、メモリモジュール(21)に記憶されたディジタル署名つきのユーザ識別子が、該読取装置(31)に送信され、及び該読取装置(31)は、該ユーザ識別子に基づいて該通信端末機器(1)のユーザを認証する方法。
【請求項９】
請求項1乃至8の何れか1項に記載の方法において、該読取装置(31)が肯定的な判定をしてから、入場確認がメモリモジュール(21)に送信される方法。
【請求項１０】
請求項1乃至9の何れか1項に記載の方法において、該読取装置(31)が、該無接点のインターフェイス(13)にエネルギーを供給する方法。
【請求項１１】
複数の入場券の注文、ロード、使用のためのシステムであって、システムにはモバイル網(6)が含まれ、その中で複数のユーザが複数のモバイル通信端末機器(1)を用いて通信することが可能であり、少なくとも１つの予約センター(4)が、該モバイル網(6)に接続されており、該システムは、複数の入場制御される施設・場所(3)を含み、該複数の入場券を使用して該入場制御される施設・場所(3)に入場することが可能であり、該複数の入場制御される施設・場所(3)は、無接点のインターフェイス(13)を介してデータの交換を行う複数のトランシーバ(33)を含む複数の読取装置(31)を備えており、該複数のモバイル通信端末機器(1)の各々は、1つのロードモジュール(211)を含み、該ロードモジュール(211)は、受信した入場券をそれぞれのモバイル通信端末機器(1)のメモリモジュール(21)に記憶し、該複数のモバイル通信端末機器(1)の各々は、1つのトランシーバ(11)を使用して、該メモリモジュール(21)と該複数の読取装置(31)の内の1つとの間で該無接点のインターフェイス(13)を介してデータを交換する1つの通信モジュール(212)を含み、該システムは、複数の判定モジュール(213、312)を含み、該複数の判定モジュール(213、312)は、該入場券に含まれる入場券情報を考慮することにより、該複数のモバイル通信端末機器(1)の内の1つのユーザの入場正当性に関する判定を実行し、該読取装置(31)は、複数の入場装置(32)と接続され、害入場装置(32)は、該実行された判定に従って、該ユーザの該複数の入場制御される施設・場所(3)のうちの1つへの入場を許可するか又は拒否し、
該予約センター(4)は、さまざまな利用可能な注文チャネルを介して入場券に関する注文データを有する注文を受信する注文モジュール(41)を含み、該注文データは、該複数のモバイル通信端末機器(1)のうちの1つのコール番号を含み、
該予約センター(4)は、送信モジュール(44)を含み、送信モジュール(44)は、モバイル網(6)を介して、該注文データに含まれる該コール番号が割り当てられているモバイル通信端末機器(1)に注文された入場券を送信するシステム。
【請求項１２】
請求項11に記載のシステムにおいて、該複数の入場券の各々は、ディジタル書名によって与えられる１つの入場券番号を含み、該予約センター(4)は、記憶された入場データを入れた表(43)を含み、該予約センター(4)は、通信網(5)を介して該複数の読取装置(31)に接続され、該予約センター(4)は、1つの活発化モジュール(42)を含み、該1つの活性化モジュール(42)は、該通信網(5)を介して該複数の読取装置(31)のうちの1つに入場券データを送信し、及び該複数の判定モジュール(312)は、該読取装置(31)の中にあり、入場正当性の判定は該入場データを考慮し、該署名を検証することによって該入場正当性に関する判定を実行するシステム。
【請求項１３】
請求項12に記載のシステムにおいて、該入場券は、該複数の入場制御される施設・場所(3)のうちの少なくとも1つについての入場券情報を含み、該複数の判定モジュール(213、312)は、該入場券情報を考慮して入場正当性に関する判定を実行し、及び該複数の通信端末機器(1)は、肯定的な判定がなされると、それぞれのメモリモジュール(21)に記憶されていた入場券を消印して失効させる失効モジュール(214)を含むシステム。
【請求項１４】
請求項13に記載のシステムにおいて、該判定モジュール(312)は、該読取装置(31)の中にあるシステム。
【請求項１５】
請求項13に記載のシステムにおいて、該複数の読取装置(31)のうちの各々は、機器識別子を該複数のモバイル通信端末機器(1)のうちの1つに送信する1つの識別モジュール(314)を含み、該複数の判定モジュール(213)は、該複数のモバイル通信端末機器(1)の中にあり、及び該複数の判定モジュール(312)は、さらに該機器識別子を考慮して入場正当性に関する判定を実行し、各事例の判定結果を該複数の読取装置(31)のうちの1つに送信するシステム。
【請求項１６】
請求項11乃至15の何れか1項に記載のシステムにおいて、少なくとも数枚の入場券が1つのユーザ識別子を含み、該複数のメモリモジュール(21)のうちの各々が1つのユーザ識別子を含み、及び入場正当性について判定する際に、該複数の判定モジュール(213、312)は、それぞれの入場券のユーザ識別子がそれぞれのメモリモジュール(21)に記憶されたユーザ識別子に一致するか否かを検証するシステム。
【請求項１７】
請求項11乃至16の何れか1項に記載のシステムにおいて、該複数の読取装置(31)の各々は、1つの識別モジュール(314)を含み、該識別モジュール(314)は、ディジタル署名された機器識別子を該複数の通信端末機器(1)のうちの1つに送信し、及び該通信端末機器(1)は、該機器識別子を用いてそれぞれの読取装置(31)を認証する第１の認証モジュール(215)を含むシステム。
【請求項１８】
請求項17に記載のシステムにおいて、該複数のメモリモジュール(21)の各々は、1つのユーザ識別子を含み、該第１の認証モジュール(215)は、読取装置(31)が肯定的に認証されると、それぞれの読取装置(31)にディジタル署名つきの記憶されたユーザ識別子を送信し、及び該複数の読取装置(31)の各々は、該ユーザ識別子を使用してそれぞれの通信端末機器(1)のユーザを認証する第２の認証モジュール(311)を含むシステム。
【請求項１９】
請求項11乃至18のうちの何れか1項に記載のシステムにおいて、該複数の読取装置(31)の各々は、肯定的な判定がなされると入場確認をそれぞれメモリモジュール(21)に送信する1つの確認モジュール(313)を含むシステム。
【請求項２０】
請求項11乃至19の何れか1項に記載のシステムにおいて、該複数の読取装置(31)が該無接点のインタフェース(13)にエネルギーを供給するシステム。